(57)【要約】【課題】簡易な操作で随時着脱できる椅子の足掛けを提供すること。【解決手段】円周の一部から円心に向かって切り欠いて略Ｃ字状に形成した外周部と、同様に円周の一部を切り欠いて、切り欠き部を形成してなり、かつ該切り欠き部によって形成される開口部の一方の端縁部を枢支端とし、該軸支端に、上下に貫通する軸支孔を形成するとともに、該開口部の他方には内壁に螺刻したネジ孔を水平方向に形成し、該ハブの内壁面に凹溝を形成して滑り止めパッドを設けた第１部材と、及び該ハブの切り欠き部の形状に合わせて形成してなり、該ハブの軸支端に対応する一端には貫通孔を穿設した耳部を形成し、該ハブのネジ孔に対応する位置に貫通孔を形成するとともに、該第１部材に対向する面に凹溝を形成して滑り止めパッドを設けてなる第２部材とを具えてなり、該第２部材を該第１部材に枢着する。【選択図】図２
2007181614.tif 000002
【特許請求の範囲】
【請求項１】
円周の一部から円心に向かって切り欠いて略Ｃ字状に形成してなる外周部と、同様に円周の一部を切り欠いて、切り欠き部を形成してなり、かつ該切り欠き部によって形成される開口部の一方の端縁部を枢支端とし、該軸支端に、上下に貫通する軸支孔を形成するとともに、該開口部の他方には、内壁に螺刻したネジ孔を水平方向に形成するとともに、該ハブの内壁面に凹溝を形成して滑り止めパッドを設けた第１部材と、
該ハブの切り欠き部の形状に合わせて形成してなり、該ハブの軸支端に対応する一端には耳部を形成し、該耳部には該軸支端に形成した軸支孔に対応する貫通孔を穿設するとともに、該ハブのネジ孔に対応する位置に貫通孔を形成するとともに、該第１部材に対向する面に凹溝を形成して滑り止めパッド３を設けてなる第２部材とを具えてなり、
該第２部材の耳部を該ハブの軸支端に当接させて、ピンを該耳部の貫通孔から該軸支端の軸支孔に挿通させて該第２部材を該第１部材１枢着して組み立て、締結ボルトの軸部を該第２部材の貫通孔から該ハブのネジ孔に螺合させて、椅子の支柱に着脱自在に設けられるように構成することを特徴とする、椅子の足掛け。
【発明の詳細な説明】
【技術分野】
【０００１】
この発明は、椅子に関し、特に椅子の支柱に設けられる足掛けに関する。
【背景技術】
【０００２】
コンピュータの普及にともない、コンピュータを使用する機会、利用時間なども当然のことながら増えてきた。椅子に腰掛けてコンピュータを長時間操作すると、足、腰、肩などに違和感が発生する場合がある。また、椅子の高さ、キーボードを置く高さ、机の高さ、もしくは椅子の構造なども、コンピュータを操作する場合に、足、腰、肩などの違和感の要因となる。そこで、コンピュータの操作も含めた事務に適する椅子の構造が業界で研究、開発されている。
【０００３】
椅子の高さに関しては、椅子の座部の高さを自在に調整できる構造が一般的である。係る構造は、使用者の体格に合わせて座部の高さを調整し、長時間使用しても容易に疲れないようにすることができる。また、座部の位置が高い椅子は、椅子の支柱に足掛けを設けることによって、下肢の姿勢を随時変換することができ、長時間椅子に掛けることによって発生する違和感の解消に役立つ。
【０００４】
従来の足掛け付きの椅子は、図１に開示するように、足掛け部１０とハブ１０１とによって足掛けを構成して支柱３０に挿入する。また、該ハブ１０１には内壁に螺刻した位置決め孔２０を形成、別途該位置決め孔２０に対応するボルト部を有する締結部材４０を該位置決め孔２０に設け、該足掛けを上下に移動させて適宜な位置に調整した後、該締結部材４０を締めて締結部材４０の一端を支柱３０に当接させて、該足掛けの位置決めを行う。
【０００５】
上述した足掛けは、構造が簡易で、かつ位置決めの操作が容易である。但し、ハブ１０１に椅子支柱３０を挿通させる構造であるため、支柱３０のいずれか一端が自由端の状態になって、はじめて足掛けを支柱３０から取り外すことができる。即ち、椅子の構造（椅子の脚５０を取り外すか）を破壊しなければ足掛けを取り外すことができない。また、必要に応じて随時着脱することもできない。
【発明の開示】
【発明が解決しようとする課題】
【０００６】
この発明は、位置の調整が容易であるとともに、簡易な操作で随時着脱できる椅子の足掛けを提供することを課題とする。
【課題を解決するための手段】
【０００７】
そこで、本発明の発明者は従来の技術に見られる欠点に鑑みて鋭意研究を重ねた結果、円周の一部から円心に向かって切り欠いて略Ｃ字状に形成してなる外周部と、同様に円周の一部を切り欠いて、切り欠き部を形成してなり、かつ該切り欠き部によって形成される開口部の一方の端縁部を枢支端とし、該軸支端に、上下に貫通する軸支孔を形成するとともに、該開口部の他方には、内壁に螺刻したネジ孔を水平方向に形成するとともに、該ハブの内壁面に凹溝を形成して滑り止めパッドを設けた第１部材と、及び該ハブの切り欠き部の形状に合わせて形成してなり、該ハブの軸支端に対応する一端には耳部を形成し、該耳部には該軸支端に形成した軸支孔に対応する貫通孔を穿設するとともに、該ハブのネジ孔に対応する位置に貫通孔を形成するとともに、該第１部材に対向する面に凹溝を形成して滑り止めパッドを設けてなる第２部材とを具えてなり、該第２部材を該第１部材に枢着してなる椅子の足掛けによって課題を解決できる点に着眼し、かかる知見に基づいて本発明を完成させた。
【０００８】
以下、この発明について具体的に説明する。
本願発明に係る椅子の足掛けは、円周の一部から円心に向かって切り欠いて略Ｃ字状に形成してなる外周部と、同様に円周の一部を切り欠いて、切り欠き部を形成してなり、かつ該切り欠き部によって形成される開口部の一方の端縁部を枢支端とし、該軸支端に、上下に貫通する軸支孔を形成するとともに、該開口部の他方には、内壁に螺刻したネジ孔を水平方向に形成するとともに、該ハブの内壁面に凹溝を形成して滑り止めパッドを設けた第１部材と、
該ハブの切り欠き部の形状に合わせて形成してなり、該ハブの軸支端に対応する一端には耳部を形成し、該耳部には該軸支端に形成した軸支孔に対応する貫通孔を穿設するとともに、該ハブのネジ孔に対応する位置に貫通孔を形成するとともに、該第１部材に対向する面に凹溝を形成して滑り止めパッド３を設けてなる第２部材とを具えてなり、
該第２部材の耳部を該ハブの軸支端に当接させて、ピンを該耳部の貫通孔から該軸支端の軸支孔に挿通させて該第２部材を該第１部材１枢着して組み立て、締結ボルトの軸部を該第２部材の貫通孔から該ハブのネジ孔に螺合させて、椅子の支柱に着脱自在に設けられるように構成する。
【発明の効果】
【０００９】
この発明の足掛け付き椅子は、簡易な構造で必要に応じて足掛けを随時着脱させることができるため、使用上便利であり、かつ製造時においては生産コストを節減し、生産性を高めることができるという効果を有する。
【発明を実施するための最良の形態】
【００１０】
この発明は、椅子の支柱に設ける足掛けを提供するものであって、円周の一部から円心に向かって切り欠いて略Ｃ字状に形成してなる外周部と、同様に円周の一部を切り欠いて、切り欠き部を形成してなり、かつ該切り欠き部によって形成される開口部の一方の端縁部を枢支端とし、該軸支端に、上下に貫通する軸支孔を形成するとともに、該開口部の他方には、内壁に螺刻したネジ孔を水平方向に形成するとともに、該ハブの内壁面に凹溝を形成して滑り止めパッドを設けた第１部材と、及び該ハブの切り欠き部の形状に合わせて形成してなり、該ハブの軸支端に対応する一端には耳部を形成し、該耳部には該軸支端に形成した軸支孔に対応する貫通孔を穿設するとともに、該ハブのネジ孔に対応する位置に貫通孔を形成するとともに、該第１部材に対向する面に凹溝を形成して滑り止めパッド３を設けてなる第２部材とを具えてなり、該第２部材を該第１部材に枢着して構成し、簡易な構造で必要に応じて随時着脱できるようにするという目的を達成した。
かかる構成による椅子の足掛けの構造と特徴を詳述するために具体的な実施例を挙げ、図示を参照にして以下に説明する。
【実施例】
【００１１】
この発明による椅子の足掛けは、図２に開示するように第１部材１と、第１部材に１に枢着される第２部材とを含んでなる。第１部材１は、従来の足掛けに見られるようにハブと、足掛け部とを具えてなるが、但し、この発明における足掛け部は円周の一部から円心に向かって切り欠いて略Ｃ字状に形成するとともに、ハブ１１も同様に円周の一部を切り欠いて、切り欠き部１２を形成する。また、ハブ１１は、切り欠き部１２によって形成される開口部の一方の端縁部を枢支端１３とし、該軸支端に、上下に貫通する軸支孔１３１を形成するとともに、該開口部の他方には、内壁に螺刻したネジ孔１４を水平方向に形成する。さらに、ハブ１１は、伸縮桿７２を具えた椅子の支柱７１に当接する内壁面に凹溝１５を形成して滑り止めパッド３を設ける。
【００１２】
第２部材２は、ハブ１１の切り欠き部１２の形状に合わせて形成し、ハブ１１の軸支端１３に対応する一端には耳部２１を形成し、耳部２１には軸支端１３に形成した軸支孔１３１に対応する貫通孔２１１を穿設するとともに、ハブ１１のネジ孔１４に対応する位置に貫通孔２２を形成する。さらに、第２部材２は、椅子の支柱７１に当接する面に凹溝２３を形成して滑り止めパッド３を設ける。
【００１３】
第１部材１と第２部材２とを組み立てる場合、第２部材の耳部２１１をハブ１１の軸支端１３に当接させて、ピン４を耳部２１１の貫通孔２２から軸支端１３の軸支孔１３１に挿通させて、第２部材２を第１部材１に枢着する。この場合、ピン４の一端にＣリング５を嵌着してピン４が抜けないようにする。但し、ピン４が抜けないようにするためには、Ｃリング５を用いる方法に限定されることなく、その他周知の方法を用いてもよい。
【００１４】
上述する部材を組み立ててなる椅子の足掛け６は、図３、４に開示するように、第２部材２を外方向に回転させて、ハブ１１の切り欠き部１２が開放された状態にして椅子の支柱７１に設け、次いで第2部材２をハブ１１の切り欠き部１２が閉塞した状態とし、さらに締結ボルト８の軸部を第２部材２の貫通孔２２からハブ１１のネジ孔１４に螺合させて締結する。また、取り外す場合は、逆の手順で行う。さらに、支柱７１に取り付けた足掛け６の位置を調整する場合は、締結ボルト８を緩め、足掛け６を上下に移動させて位置を調整して締結ボルト８を締める。
【００１５】
したがって、この発明による足掛け６は、図５、６に開示するように、椅子７の支柱７１に着脱自在に設けられ、簡易な操作で容易に着脱できるとともに、高さの調整ができる。よって、組み立て及び取り外しが簡単にできるとともに、従来のように全ての椅子の脚７３を取り外すなどの必要がない。この点において、従来の足掛けに見られるように取り外しが事実上不可能であって、随時着脱できない点と異なる。
【００１６】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００１７】
【図１】従来の椅子の足掛けの使用態様を示した説明図である。
【図２】この発明による椅子の足掛けの構造を示した分解図である。
【図３】図２に開示する椅子の足掛けを支柱に設けない状態を示した説明図である。
【図４】図２に開示する椅子の足掛け支柱に設けた状態を示した説明図である。
【図５】図２に開示する椅子の足掛け支柱に設けた状態を示した斜視説明図である。
【図６】この発明による椅子の足掛けの使用態様を示した斜視図である。
【符号の説明】
【００１８】
１        第１部材
１０      足掛け部
１０１    ハブ
１１      フレーム
１２      切り欠き部
１３      軸支孔
１３１    軸支孔
１４      ネジ孔
１５      凹溝
２        第２部材
２０      位置決め孔
２１      耳部
２１１    貫通孔
２２      貫通孔
２３      凹溝
３        滑り止めパッド
３０      支柱
４        ピン
４０      椅子
５        Ｃ型リング
５０      椅子の脚
６        足掛け
７        椅子
７１      支持
７２      伸縮桿
７３      椅子の脚
８        締結ボルト
【図１】
2007181614.tif 000003
【図２】
2007181614.tif 000004
【図３】
2007181614.tif 000005
【図４】
2007181614.tif 000006
【図５】
2007181614.tif 000007
【図６】
2007181614.tif 000008